(57)【要約】      （修正有）【課題】リールドラムの外周面に貼着されるリール帯に描かれる複数種類の図柄を立体的にし、図柄を視認し易くすると共に斬新な感覚を与えてゲームの興趣を倍加させるスロットマシンにおけるリール装置を提供する。【解決手段】リールドラム７の外周面にリール帯８が貼着されて構成されるリール２、３、４である。リール２、３、４のリール帯８に描かれる複数種類の図柄におけるその一部又は全部を外方に隆起させる。また、図柄の外方への隆起は、リール帯８自体を変形膨隆せしめて行う。【選択図】図１
0003189265.tif 000002
【実用新案登録請求の範囲】
【請求項１】
リールドラムの外周面に貼着されるリール帯に描かれる複数種類の図柄におけるその一部又は全部を外方に隆起させたことを特徴とするスロットマシンにおけるリール装置。
【請求項２】
リール帯自体を変形膨隆せしめて図柄を外方に隆起させてなる請求項１記載のスロットマシンにおけるリール装置。
【請求項３】
リール帯の各図柄を描く位置に穴を穿設し、該穴に、立体形状となし且つ外表面に図柄を表示した図柄表示体を嵌合して接着せしめ、もって図柄をリール帯の外方に隆起させてなる請求項１記載のスロットマシンにおけるリール装置。
【請求項４】
リール帯の各図柄を描く位置に穴を穿設し、該穴に、立体形状となし且つ外表面に図柄を表示した図柄表示体を嵌合せしめ、前記図柄表示体を、穴内においてずらすことにより内外方向に移動可能となしたスロットマシンにおけるリール装置。
【請求項５】
複数種類の図柄に物語性を持たせてなる請求項１、２、３又は４記載のスロットマシンにおけるリール装置。
【考案の詳細な説明】
【技術分野】
【０００１】
本考案はスロットマシンにおけるリール装置に関するものである。
【背景技術】
【０００２】
一般的にパチスロという名前で親しまれている、前面扉の背後にリール装置における３個のリールが並列し、一斉に回転したこれら３個のリールを、遊技者によるストップボタンの操作によって順々に各リールの回転を停止させ、停止した各リールのリール帯に描かれた図柄が予め設定された入賞条件と一致したときに所定のサービスを受けられるようにしたスロットマシンが普及している。
【０００３】
また、各リールのリール帯に描かれた図柄は、数字、文字、図形等からなるものであり、これらの複数の図柄が所定の順に円周方向に沿って並んでいる
【０００４】
そしてまた、各リールのリール帯に描かれた図柄は、スロットマシンの正面に並設された３個の表示窓から夫々見えるようになっており、そして視認し易くするために背面側から光が照射される。
【考案の概要】
【考案が解決しようとする課題】
【０００５】
上記従来におけるスロットマシンにおけるリール装置は、そのリール帯に描かれる複数種類の図柄が平面的である。即ち、単に印刷によって表示されたものであって、全く立体感がない。
【０００６】
このように目の前でぐるぐる回転する図柄は全てが平坦面に印刷された図柄であるから、目を通して刺激が与えられず、ゲームが単調で面白みに欠けていた。
【０００７】
本考案は上記の点に鑑みなされたものであって、リール帯に描かれる複数種類の図柄におけるその一部又は全部を外方に隆起させて立体的になし、そしてこのようにリール帯に描かれる図柄を浮き出させて立体的になすことにより迫力が増すと共に遊技者に目を通しての刺激を与え、もって斬新な感覚を与えてゲームの単調化を解消し、長時間継続して楽しく遊技することができ、また、図柄がリール帯の表面より突出していることによって視認し易くなり、加えて、例えば、特定の一部の図柄を外方に隆起させる場合、遊技者は当該隆起した図柄の通過後、何個目に次のリール帯の目当ての図柄が来るかを予測してこれを的中させることができるようになり、もって的中率の向上により興趣を倍加させることができるようになしたスロットマシンにおけるリール装置を提供しようとするものである。
【課題を解決するための手段】
【０００８】
而して、本考案の要旨とするところは、リールドラムの外周面に貼着されるリール帯に描かれる複数種類の図柄におけるその一部又は全部を外方に隆起させたことを特徴とするスロットマシンにおけるリール装置にある。
【０００９】
また、上記構成において、リール帯自体を変形膨隆せしめて図柄を外方に隆起させるようになしてもよい。
【００１０】
また、上記構成において、リール帯の各図柄を描く位置に穴を穿設し、該穴に、立体形状となし且つ外表面に図柄を表示した、リール帯と同一材料からなる図柄表示体を嵌合して接着せしめ、もって図柄をリール帯の外方に隆起させるようになしてもよい。
【００１１】
また、上記構成において、図柄表示体を、穴内においてずらすことにより内外方向に移動可能となしてもよい。
【００１２】
また、上記構成において、複数種類の図柄に物語性を持たせるようになしてもよい。
【考案の効果】
【００１３】
本考案は上記の如き構成であり、リール帯に描かれる複数種類の図柄におけるその一部又は全部を外方に隆起させて立体的になしたものである。そして、このようにリール帯に描かれる図柄を浮き出させて立体的になしたことにより迫力が増すと共に遊技者に目を通しての刺激を与え、もって斬新な感覚を与えてゲームの単調化を解消し、長時間継続して楽しく遊技することができるようになるものである。また、図柄がリール帯の表面より突出していることによって視認し易くなり、加えて、例えば、特定の一部の図柄を外方に隆起させる場合、遊技者は当該隆起した図柄の通過後、何個目に次のリール帯の目当ての図柄が来るかを予測してこれを的中させることができるようになり、もって的中率の向上により興趣を倍加させることができるものである。
【００１４】
また、リール帯の各図柄を描く位置に穴を穿設し、該穴に立体形状をなし且つ外表面に
図柄を表示した、リール帯と同一材料からなる図柄表示体を嵌合して接着することにより図柄をリール帯の外方に容易に隆起させることができるものである。一方、図柄表示体を、穴内においてずらすことにより内外方向に移動可能となした場合には、図柄の前後方向の動きが加わることになり、より一層遊技の興趣を高めることができるものである。
【００１５】
また、複数種類の図柄に物語性を持たせた場合には、リアルな面白さが加わり、遊技の興趣を高める上で役立つものである。
【図面の簡単な説明】
【００１６】
【図１】本考案の実施形態に係るスロットマシンにおけるリール装置の斜視図である。
【図２】同リール装置におけるリールの一部切欠して示した斜視図である。
【図３】同要部の部分拡大断面図である。
【図４】本考案の第２実施形態に係るスロットマシンにおけるリール装置の要部の部分拡大断面図である。
【考案を実施するための形態】
【００１７】
以下、本考案を実施するための形態について、図面を参照して説明する。
【００１８】
先ず、本考案の第１実施形態について説明する。
図１乃至図３中、１はスロットマシンにおけるリール装置である。尚、スロットマシン自体の構成は、公知であるから説明は省略する。また、２、３、４は該リール装置１にお
けるリールである。
【００１９】
また、該リール２、３、４は、フレーム５にブラケット６を介して取り付けられ、そしてまた、各リール２、３、４は、リールドラム７の外周面にリール帯８が貼着されて構成されている。そして、該リール帯８に複数種類の図柄が表示されている。尚、図においては図柄として「７」の数字９のみを表示している。
【００２０】
また、該リール２、３、４は、夫々ステッピングモータ１０によって回転せしめられるものであり、前記リールドラム７の内部には前記リール帯８の図柄に背後から光を照射するバックランプ１１、１２、１３が配設されている。また、１４はホトセンサであり、前記リールダラム７に設けられた遮蔽板１５がリールドラム７の回転に伴って該ホトセンサ
１４を通過するのを検出するものである。
【００２１】
また、本実施形態において従来のリール装置と異なるところは、前記リール帯８に表示する複数種類の図柄におけるその一部又は全部を外方に隆起させたことにある。尚、隆起する図柄は、一定の間隔でもよく、不規則でもよい。また、リール２，３，４の夫々において隆起する図柄の数を違えてもよく、また全部の図柄を隆起させてもよい。
【００２２】
また、本実施形態においては、図３に示す如く、リール帯８自体を変形膨隆させて図柄を外方に隆起させている。
【００２３】
本実施形態は上記の通りであり、リール帯８に描かれる複数種類の図柄におけるその一部又は全部を外方に隆起させて立体的になしたものである。そしてこのようにリール帯８に描かれる図柄を浮き出させて立体的になしたことにより、迫力が増すと共に遊技者に目を通しての刺激を与え、もって斬新な感覚を与えてゲームの単調化を解消し、長時間継続して楽しく遊技することができるようになるものである。また、図柄がリール帯の表面より突出していることによって視認し易くなり、加えて、例えば、特定の一部の図柄を外方に隆起させる場合、遊技者は当該隆起した図柄の通過後、何個目に次のリール帯の目当ての図柄が来るかを予測してこれを的中させることができるようになり、もって的中率の向上により興趣を倍加させることができるものである。
【００２４】
次に、図４に示す本考案の第２実施形態について説明する。
【００２５】
本実施形態と前記第１実施形態との相違点は、図柄をリール帯の外方に隆起させる手段の相違にある。尚、その他の構成は第１実施形態と同様であるから、同一の部材には同一の符号を付して詳細な説明は省略する。
【００２６】
而して、本実施形態においては、リール帯８の各図柄を描く位置に穴１６を穿設し、該穴１６に立体形状となし且つ外表面に図柄を表示した、リール帯８と同一材料からなる図柄表示体１７を嵌合して接着せしめ、もって図柄をリール帯８の外方に隆起させてなるものである。尚、本実施形態による効果は、前記第１実施形態と同様である。
【００２７】
また、本実施形態においては、更に図柄表示体１７を、穴１６内においてずらすことにより内外方向に移動可能としてもよく、この場合には、図柄の前後方向の動きが加わることになり、より一層遊技の興趣を高めることができるものである。
【００２８】
また、この他図示はしないが、以上の実施形態において、複数種類の図柄に物語性を持たせるようにしてもよく、このようになした場合にはリアルな面白さが加わり、遊技の興趣を高める上で役立つものである。
【符号の説明】
【００２９】
１  リール装置
２、３、４  リール
７  リールドラム
８  リール帯
９  図柄
１０  ステッピングモータ
１１、１２、１３  バックランプ
【図１】
0003189265.tif 000003
【図２】
0003189265.tif 000004
【図３】
0003189265.tif 000005
【図４】
0003189265.tif 000006
【手続補正書】
【提出日】平成25年12月20日(2013.12.20)
【手続補正１】
【補正対象書類名】実用新案登録請求の範囲
【補正対象項目名】全文
【補正方法】変更
【補正の内容】
【実用新案登録請求の範囲】
【請求項１】
リールドラムの外周面に貼着されるリール帯に描かれる複数種類の図柄におけるその一部又は全部を外方に隆起させたことを特徴とするスロットマシンにおけるリール装置。
【請求項２】
リール帯自体を変形膨隆せしめて図柄を外方に隆起させてなる請求項１記載のスロットマシンにおけるリール装置。
【請求項３】
リール帯の各図柄を描く位置に穴を穿設し、該穴に、立体形状となし且つ外表面に図柄を表示した図柄表示体を嵌合して接着せしめ、もって図柄をリール帯の外方に隆起させてなる請求項１記載のスロットマシンにおけるリール装置。
【請求項４】
リール帯の各図柄を描く位置に穴を穿設し、該穴に、立体形状となし且つ外表面に図柄を表示した図柄表示体を嵌合せしめ、前記図柄表示体を、穴内においてずらすことにより内外方向に移動可能となしたスロットマシンにおけるリール装置。